(57)【要約】      （修正有）【課題】浴室に設置しテレビジョン放送を視聴するために好適なテレビジョン信号受信装置及びその受信方法を提供する。【解決手段】浴槽内の湯の水位を検出するための水位検出部４３と、水位検出部４３が急激に所定量以上の水位上昇を検出したときに第1の判別出力を送出し、水位検出部４３が急激に所定量以上の水位下降を検出したときに第２の判別出力を送出する判別部４４と、受信されるテレビジョン信号を実質的に同時記録再生を行なう記録再生部４２２と、記録再生部４２２で前テレビジョン信号を連続的に記録している状態で第１の判別出力によって該記録再生部４２２からテレビジョン信号を再生してモニター部４１に送出し第２の判別出力によって該再生を停止する制御を行なう制御部４２とから構成したことを特徴とする。【選択図】図４
2006270684.tif 000002
【特許請求の範囲】
【請求項１】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出し、該第２の判別出力が得られた後に該水位検出手段の検出出力がゆっくりと所定量以上を下降したときに第４の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第４の判別出力と前記第５の判別出力とによって前記記録再生手段の記録動作を停止する制御を行なう制御手段とから構成したことを特徴とするテレビジョン信号受信装置。
【請求項２】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止する制御を行なう制御手段とから構成したことを特徴とするテレビジョン信号受信装置。  
【請求項３】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更する制御を行なう制御手段とから構成したことを特徴とするテレビジョン信号受信装置。
【請求項４】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られた後に該水位検出手段の検出出力がゆっくりと所定量以上を下降したときに第４の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第４の判別出力によって前記記録再生手段の記録動作を停止する制御を行なう制御手段とから構成したことを特徴とするテレビジョン信号受信装置。
【請求項５】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第５の判別出力とによって前記記録再生手段の記録動作を停止する制御を行なう制御手段とから構成したことを特徴とするテレビジョン信号受信装置。
【請求項６】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段の検出出力が急激に所定量以上を上昇するときに第1の判別出力とし、該水位検出手段の検出出力が急激に所定量以上を下降するときに第２の判別出力とし、該水位検出手段の検出出力の急激な上昇と下降における所定量の相異を判別する第３の判別出力とし、該第２の判別出力が得られた後に該水位検出手段の検出出力がゆっくりと所定量以上を下降したときに第４の判別出力として出力する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第４の判別出力によって前記記録再生手段の記録動作を停止する制御を行なう制御手段とから構成したことを特徴とするテレビジョン信号受信装置。
【請求項７】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第５の判別出力とによって前記記録再生手段の記録動作を停止する制御を行なう制御手段とから構成したことを特徴とするテレビジョン信号受信装置。
【請求項８】
浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られた後に該水位検出手段の検出出力がゆっくりと所定量以上を下降したときに第４の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第４の判別出力と前記第５の判別出力とによって前記記録再生手段の記録動作を停止する制御を行なう制御手段とから構成したことを特徴とするテレビジョン信号受信装置。
【請求項９】
浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
前記第２の判別出力が得られた後に前記水位検出部の検出出力がゆっくりと所定量以上を下降したときに第４の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第４の判別出力又は前記第５の判別出力とによって前記記録再生手部の記録動作を停止して制御することを特徴とするテレビジョン信号受信方法。
【請求項１０】
浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出手段の検出出力が急激に所定量以上の水位下降を検出したときに第２の判別出力として判別部により判別し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止して制御することを特徴とするテレビジョン信号受信方法。
【請求項１１】
浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な上昇と下降における所定量の相異を判別したときに第３の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更することを特徴とするテレビジョン信号受信方法。
【請求項１２】
浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出手段の検出出力が急激に所定量以上の水位下降を検出したときに第２の判別出力として判別部により取得し、
前記第２の判別出力が得られた後に前記水位検出部の検出出力がゆっくりと所定量以上を下降したときに第４の判別出力として前記判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第４の判別出力によって前記記録再生部の記録動作を停止して制御することを特徴とするテレビジョン信号受信方法。
【請求項１３】
浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
同じく前記第２の判別出力が得られてから所定の時間経過後したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第５の判別出力とによって前記記録再生部の記録動作を停止して制御することを特徴とするテレビジョン信号受信方法。
【請求項１４】
浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
前記第２の判別出力が得られた後に前記水位検出部の検出出力がゆっくりと所定量以上を下降したときに第４の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第４の判別出力とによって前記記録再生部の記録動作を停止して制御することを特徴とするテレビジョン信号受信方法。
【請求項１５】
浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
同じく前記第２の判別出力が得られてから所定の時間経過後したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第５の判別出力とによって前記記録再生部の記録動作を停止して制御することを特徴とするテレビジョン信号受信方法。
【請求項１６】
浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記第２の判別出力が得られた後に前記水位検出部の検出出力がゆっくりと所定量以上を下降したときに第４の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第４の判別出力又は前記第５の判別出力とによって前記記録再生部の記録動作を停止して制御することを特徴とするテレビジョン信号受信方法。
【発明の詳細な説明】
【技術分野】
【０００１】
本発明は、テレビジョン信号受信装置及びその受信方法であって、特に浴室に設置してテレビジョン放送を視聴するためのテレビジョン信号受信装置及びその受信方法に関する。
【背景技術】
【０００２】
このように、テレビジョン受像機を設けた浴室では、電源スイッチのオン、オフは浴室に入るときと退出するときに操作しなければならなかった。そのため、浴室から退出するときに電源スイッチを切り忘れてしまうことがあった。また、浴室に入るときに電源スイッチをオンにしなければならず面倒であった。
【０００３】
そこで、例えば下記の特許文献１で示す従来技術が提案されている。この従来技術は、浴室の入口に人の存在を検知してテレビジョン受像機の電源スイッチを自動的にオン・オフする装置を設けたものである。具体的には、浴室の入口に赤外線発光装置と受光装置を対向して設けたものである。そして、入口を人が通過したことを赤外線の遮光により検知し、テレビジョン受像機の１次スイッチをオン、オフさせたものである。
【０００４】
また、同様に浴室内に設けたテレビジョン受像機の電源スイッチを自動的にオン・オフする従来技術として、下記の特許文献２に示すものが提案されている。この従来技術は、テレビジョン受像機の電源スイッチを浴室内照明器具のスイッチと連動させたものである。このように連動させることにより照明用器具のスイッチを切ると必ずテレビジョン受像機のスィッチも切れるようにしたものである。
【０００５】
一方、浴室の浴槽内の状況は入浴者の安全のために検知することが考えられていた。その従来技術として、下記の特許文献３で示すものが提案されている。これは、浴室全体における人体の動きを撮影して画像処理をする第１の人体検出センサと、主として浴槽における人体の動きを撮影して画像処理をする第２の人体検出センサとから構成されている。第１の人体検出センサだけでは浴槽内における人体検出の動きを確実にできないので、人が浴槽に入浴したときは第２の人材検出センサによって人体の動きを検出するようにしたものである。そして、第１の人体検出センサと第２の人体検出センサとの間の切換えは、水位センサでもって浴槽の水位上昇と水位降下を検出し、この検出出力で切換えを制御するように構成したものである。
【０００６】
同様に、浴槽に入浴中の入浴者の安全のためには入浴者の体動の有無を検知する必要がある。その従来技術として下記の特許文献４で示すものが提案されている。これは、水位センサにより人が体動した際の水面の揺らぎの振幅を検出し、この振幅がある閾値を超えたかどうかで体動の有無を判定している。具体的には、水位センサからの信号はセンサ回路部で増幅やフィルタリング処理が行なわれて制御手段に供給されるようになっている。制御手段は水位に応じた電圧値を読み込んで体動の検知を行い、その判定によって報知信号発生手段によりブザー音や表示装置の点灯や点滅等の放置信号を発生するようになっている。
【特許文献１】特開平２−２８５１５７号公報（３２３頁、右下欄１２行〜１７行、３２４頁、左上欄１０行〜１９行）
【特許文献２】特開平２−２８５１６４号公報公報（３５２頁、左上欄１２行〜１５行）
【特許文献３】特開２００２−３４８２５号公報（段落〔０００９〕）、段落〔００１１〕、段落〔００３０〕）
【特許文献４】特開２００３−１６５５０号公報（段落〔０００５〕、段落〔００１８〕、段落〔００１９〕）
【発明の開示】
【発明が解決しようとする課題】
【０００７】
上記特許文献１及び特許文献２で示す従来技術においては、浴室内に入るとテレビジョン受像機が自動的に作動するが、入浴者はテレビジョン受像機を見るのは浴槽に入っているときだけである。そのため、浴槽から出て洗顔、洗髪等を行なっているときにはテレビジョン受像機を見ることができない。従って、実質的には、連続して見ることができないという問題点があった。また、浴室に入ると自動的にテレビジョン受像機の電源スイッチがオンになるので、例えば清掃するために浴室内に入るときもテレビジョン受像機が作動してしまう。そのため、このような誤動作が頻繁に発生しかえって煩わしいという問題点があった。
【０００８】
そこで、本発明者は上記特許文献３及び特許文献4で示す浴槽内の入浴者の動きを水位の変動で検知する従来技術に着目し、この技術を利用して従来の問題点を解消した新規な
テレビジョン放送を視聴するためのテレビジョン信号受信装置及びその受信方法を提供することを課題とした。
【課題を解決するための手段】
【０００９】
前記課題を解決するために、本願の請求項１に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出し、該第２の判別出力が得られた後に該水位検出手段の検出出力がゆっくりと所定量以上を下降したときに第４の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第４の判別出力と前記第５の判別出力とによって前記記録再生手段の記録動作を停止する制御を行なう制御手段とから構成したことを特徴とする。
【００１０】
また、本願の請求項２に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止する制御を行なう制御手段とから構成したことを特徴とする。
【００１１】
また、本願の請求項３に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更する制御を行なう制御手段とから構成したことを特徴とする。
【００１２】
また、本願の請求項４に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られた後に該水位検出手段の検出出力がゆっくりと所定量以上を下降したときに第４の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第４の判別出力によって前記記録再生手段の記録動作を停止する制御を行なう制御手段とから構成したことを特徴とする。
【００１３】
また、本願の請求項５に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第５の判別出力とによって前記記録再生手段の記録動作を停止する制御を行なう制御手段とから構成したことを特徴とする。
【００１４】
また、本願の請求項６に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段の検出出力が急激に所定量以上を上昇するときに第1の判別出力とし、該水位検出手段の検出出力が急激に所定量以上を下降するときに第２の判別出力とし、該水位検出手段の検出出力の急激な上昇と下降における所定量の相異を判別する第３の判別出力とし、該第２の判別出力が得られた後に該水位検出手段の検出出力がゆっくりと所定量以上を下降したときに第４の判別出力として出力する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第４の判別出力によって前記記録再生手段の記録動作を停止する制御を行なう制御手段とから構成したことを特徴とする。
【００１５】
また、本願の請求項７に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該水位検出手段の検出出力の急激な水位上昇と水位下降における所定量の相異を判別する第３の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第３の判別出力によって前記入浴者の相異を判別して受信チャンネルを変更し、前記第５の判別出力とによって前記記録再生手段の記録動作を停止する制御を行なう制御手段とから構成したことを特徴とする。
【００１６】
また、本願の請求項８に係る発明は、浴槽に入浴している入浴者がテレビジョン放送を視聴するために浴室内に配置されたモニター部を有するテレビジョン信号受信装置において、
前記浴槽内の湯の水位を検出するための水位検出手段と、
前記水位検出手段が急激に所定量以上の水位上昇を検出したときに第1の判別出力を送出し、該水位検出手段が急激に所定量以上の水位下降を検出したときに第２の判別出力を送出し、該第２の判別出力が得られた後に該水位検出手段の検出出力がゆっくりと所定量以上を下降したときに第４の判別出力を送出し、同じく該第２の判別出力が得られてから所定の時間を経過したときに第５の判別出力を送出する判別手段と、
受信される前記テレビジョン信号を実質的に同時記録再生を行なう記録再生手段と、
前記記録再生手段で前記テレビジョン信号を連続的に記録している状態で前記判別手段の第１の判別出力によって該記録再生手段からテレビジョン信号を再生して前記モニター部に送出し、前記第２の判別出力によって該再生を停止し、前記第４の判別出力と前記第５の判別出力とによって前記記録再生手段の記録動作を停止する制御を行なう制御手段とから構成したことを特徴とする。
【００１７】
また、本願の請求項９に係る発明は、浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
前記第２の判別出力が得られた後に前記水位検出部の検出出力がゆっくりと所定量以上を下降したときに第４の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第４の判別出力又は前記第５の判別出力とによって前記記録再生部の記録動作を停止して制御することを特徴とする。
【００１８】
また、本願の請求項１０に係る発明は、浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出手段の検出出力が急激に所定量以上の水位下降を検出したときに第２の判別出力として判別部により判別し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止して制御することを特徴とする。
【００１９】
また、本願の請求項１１に係る発明は、浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な上昇と下降における所定量の相異を判別したときに第３の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更することを特徴とする。
【００２０】
また、本願の請求項１２に係る発明は、浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出手段の検出出力が急激に所定量以上の水位下降を検出したときに第２の判別出力として判別部により取得し、
前記第２の判別出力が得られた後に前記水位検出部の検出出力がゆっくりと所定量以上を下降したときに第４の判別出力として前記判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第４の判別出力によって前記記録再生部の記録動作を停止して制御することを特徴とする。
【００２１】
また、本願の請求項１３に係る発明は、浴槽に入浴している入浴者が浴室内に配置されたモニター部でテレビジョン放送を視聴するテレビジョン信号受信方法において、
前記浴槽内の湯の水位を水位検出部により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第５の判別出力とによって前記記録再生部の記録動作を停止して制御することを特徴とする。
【００２２】
また、本願の請求項１４に係る発明は、浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
前記第２の判別出力が得られた後に前記水位検出部の検出出力がゆっくりと所定量以上を下降したときに第４の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第４の判別出力とによって前記記録再生部の記録動作を停止して制御することを特徴とする。
【００２３】
また、本願の請求項１５に係る発明は、浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記水位検出部の検出出力の急激な水位上昇と水位下降における所定量の相異を判別したときに第３の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第３の判別出力によって前記入浴者の相異を判別して受信チャンネルを変更し、
前記第５の判別出力とによって前記記録再生部の記録動作を停止して制御することを特徴とする。
【００２４】
また、本願の請求項１６に係る発明は、浴槽に入浴している入浴者が視聴するために浴室内に配置されたモニター部でテレビジョン放送を視聴するテレビジョン信号受信方法において、
前記浴槽内の湯の水位を水位検出手段により検出し、
前記水位検出部の検出出力が急激に所定量以上の水位上昇を検出したときに第1の判別出力とし、該水位検出部の検出出力が急激に所定量以上の水位下降を検出したときに第２の判別出力として判別部により取得し、
前記第２の判別出力が得られた後に前記水位検出部の検出出力がゆっくりと所定量以上を下降したときに第４の判別出力として判別部により取得し、
同じく前記第２の判別出力が得られてから所定の時間を経過したことを第５の判別出力として判別部により取得し、
受信される前記テレビジョン信号を実質的に同時に記録再生部により記録再生し、
前記記録再生部で前記テレビジョン信号を連続的に記録している状態で前記判別部の第１の判別出力によって該記録再生部からテレビジョン信号を再生して前記モニター部に送出し、前記第２の判別出力によって該再生を停止し、
前記第４の判別出力又は前記第５の判別出力とによって前記記録再生部の記録動作を停止して制御することを特徴とする。
【発明の効果】
【００２５】
本発明は上述のような構成をとることにより、本願の請求項1に係るテレビジョン信号受信装置によれば、前記判別手段が前記水位検出手段の検出出力に応じて５種の判別出力を送出するので下記に示す効果をもたらす。
【００２６】
第１に、前記判別手段が前記第１の判別出力と前記第２の判別出力を送出することにより下記の効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００２７】
第２に、前記判別手段が第３の判別出力を送出することにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００２８】
第３に、前記判別手段が第４の判別出力又は第５の判別出力を送出することにより下記の効果をもたらす。前記第２の判別出力を得た後に第４の判別出力が得られることにより、浴槽内の湯を排水していることと判断して前記制御手段が前記記録再生手段の記録動作を停止する。また、前記第2の判別出力を得てから所定の時間を経過した後に第1の判別出力が得られないと第５の判別出力を送出し、入浴者が入浴しないと判断して前記制御手段が前記記録再生手段の記録動作を停止する。従って、テレビジョン放送を視聴しないことが自動的に判断されテレビジョン信号受信装置を待機状態にして不用な動作、不用な電力の消費等を回避することができる。
【００２９】
本願の請求項２に係る発明のテレビジョン信号受信装置においては、前記判別手段が前記水位検出手段の検出出力に応じて前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００３０】
本願の請求項３に係る発明のテレビジョン信号受信装置においては、前記判別手段が前記水位検出手段の検出出力に応じて前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００３１】
また、前記判別手段が前記第1の判別出力と第2の判別出力とにおいて、その変化量が相異することを判別する第３の判別出力を出力することにより、入浴者の相異を判別して受信チャンネルを自動的に変更することができる。そのため、複数の入浴者が予め設定したチャンネルのテレビジョン放送を自動的に選択されて視聴できる。
【００３２】
本願の請求項４に係る発明のテレビジョン信号受信装置においては、前記判別手段が前記水位検出手段の検出出力に応じて前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００３３】
また、前記判別手段が第2の判別出力が得られてから所定の時間を経過した後に第1の判別出力が得られないと第４の判別出力を送出し、制御手段が浴槽内の湯を排水していることと判断して前記記録再生手段の記録動作を停止する。従って、テレビジョン放送を視聴しないことが自動的に判断されテレビジョン信号受信装置を待機状態にして不用な動作、不用な電力の消費等を回避することができる。
【００３４】
本願の請求項５に係る発明のテレビジョン信号受信装置においては、本発明のテレビジョン信号受信装置においては、前記判別手段が前記水位検出手段の検出出力に応じて前記第１の判別出力と前記第２の判別出力を送出することにより下記の効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者は浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００３５】
また、前記第2の判別出力を得てから所定の時間を経過した後に第1の判別出力が得られないと第５の判別出力を送出し、入浴者が入浴しないと判断して前記制御手段が前記記録再生手段の記録動作を停止する。従って、テレビジョン放送を視聴しないことが自動的に判断されテレビジョン信号受信装置を待機状態にして不用な動作、不用な電力の消費等を回避することができる。
【００３６】
本願の請求項６に係る発明のテレビジョン信号受信装置においては、前記判別手段が前記水位検出手段の検出出力に応じて４種の判別出力を送出するので、下記に示す効果をもたらす。
【００３７】
第１に、前記判別手段が前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００３８】
第２に、判別手段が第３の判別出力を送出することにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００３９】
第３に、前記判別手段が第４の判別出力を送出することにより下記の効果をもたらす。前記第２の判別出力を得た後に第４の判別出力が得られることにより、浴槽内の湯を排水していることと判断して前記制御手段が前記記録再生手段の記録動作を停止する。従って、テレビジョン放送を視聴しないことが自動的に判断されテレビジョン信号受信装置を待機状態にして不用な動作、不用な電力の消費等を回避することができる。
【００４０】
本願の請求項７に係る発明のテレビジョン信号受信装置においては、前記判別手段が前記水位検出手段の検出出力に応じて４種の判別出力を送出するので、下記に示す効果をもたらす。
【００４１】
第１に、前記判別手段が前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００４２】
第２に、前記判別手段が第３の判別出力を送出することにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００４３】
第３に、前記第５の判別出力を送出することにより下記の効果をもたらす。前記第2の判別出力を得てから所定の時間を経過した後に第1の判別出力が得られないと第５の判別出力を送出し、入浴者が入浴しないと判断して前記制御手段が前記記録再生手段の記録動作を停止する。従って、テレビジョン放送を視聴しないことが自動的に判断されテレビジョン信号受信装置を待機状態にして不用な動作、不用な電力の消費等を回避することができる。
【００４４】
本願の請求項８に係る発明のテレビジョン信号受信装置においては、前記判別手段が前記第１の判別出力と前記第２の判別出力を送出することにより下記に示す効果をもたらす。テレビジョン信号を受信して前記記録再生手段における記録開始後に、入浴者が浴槽に入ると前記水位検出手段が水位の急激な上昇の変化を検出して判別手段が第１の判別出力を送出する。そして、制御手段が第１の判別出力によって前記記録再生手段から既に記録されているテレビジョン信号を再生して前記モニター部に送出する制御を行なう。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出手段が水位の急激な下降を検出し前記判別手段が第２の判別出力を前記制御手段に送出する。そして、前記制御手段が第１の判別出力によって前記記録再生手段の再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別手段から第２の判別出力が送出され制御手段が記録再生手段の再生動作を開始する。この再生の開始は以前の再生が終了した位置に引き続いて行なわれ、入浴者にとっては番組が自動的に分断されることなく連続して視聴できる。
【００４５】
また、前記判別手段が第４の判別出力又は第５の判別出力を送出することにより下記に示す効果をもたらす。前記第２の判別出力を得た後に第４の判別出力が得られることにより、制御手段が浴槽内の湯を排水していることと判断して前記記録再生手段の記録動作を停止する。また、前記第2の判別出力を得てから所定の時間を経過した後に第1の判別出力が得られないと第５の判別出力を送出し、入浴者が入浴しないと判断して制御手段により前記記録再生手段の記録動作を停止する。従って、テレビジョン放送を視聴しないことが自動的に判断されテレビジョン信号受信装置を待機状態にして不用な動作、不用な電力の消費等を回避することができる。
【００４６】
本願の請求項９に係る発明のテレビジョン信号受信方法においては、前記判別部が前記水位検出部の検出出力に応じて５種の判別出力を送出するので、下記に示す効果をもたらす。
【００４７】
第１に、前記第１の判別出力と前記第２の判別出力が得られることにより下記の効果をもたらす。テレビジョン信号を受信して前記記録再生部における記録開始後に、入浴者が浴槽に入ると前記水位検出部により水位の急激な上昇を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態では、テレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれるので、入浴者にとっては番組が自動的に分断されることなく連続して視聴できる。
【００４８】
第２に、前記第３の判別出力が得られることにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００４９】
第３に、前記判別部から第４の判別出力又は第５の判別出力が得られることにより下記の効果をもたらす。前記第２の判別出力が得られた後に第４の判別出力が得られることにより、浴槽内の湯を排水していることと判断して前記記録再生部の記録動作を停止する。また、前記第2の判別出力を得てから所定の時間を経過した後に第1の判別出力が得られないと第５の判別出力を送出し、入浴者が入浴しないと判断して前記記録再生部の記録動作を停止する。従って、テレビジョン放送を視聴しないことが自動的に判断されテレビジョン信号受信装置を待機状態にして不用な動作、不用な電力の消費等を回避することができる。
【００５０】
本願の請求項１０に係る発明のテレビジョン信号受信方法においては、前記第１の判別出力と前記第２の判別出力が得られることにより下記に示す効果をもたらす。テレビジョン信号を受信して前記記録再生部における記録開始後に、入浴者が浴槽に入ると前記水位検出部により水位の急激な上昇の変化を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御しての再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれので、入浴者にとっては番組が自動的に分断されることなく連続して視聴できる。
【００５１】
本願の請求項１１に係る発明のテレビジョン信号受信方法においては、前記判別部が前記水位検出部の検出出力に応じて前記第１の判別出力と前記第２の判別出力が得られることにより下記に示す効果をもたらす。テレビジョン信号を受信して前記記録再生部における記録開始後に、入浴者が浴槽に入ると前記水位検出部により水位の急激な上昇変化を検出して前記判別部でもって第１の判別出力を得る。そして、第１の判別出力によって前記記録再生部を制御して既に記録されているテレビジョン信号を再生して前記モニター部に送出する。そのため、入浴者は浴槽に入ると同時に前記モニター部においてテレビジョン信号による映像を視聴できる。このとき、記録再生手段は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれるので、入浴者にとっては番組が自動的に分断されることなく連続して視聴できる。
【００５２】
また、前記第３の判別出力が得られることにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００５３】
本願の請求項１２に係る発明のテレビジョン信号受信方法においては、前記判別部から前記水位検出部の検出出力に応じて前記第１の判別出力と前記第２の判別出力を得るので、下記に示す効果をもたらす。テレビジョン信号を受信して前記記録再生部における記録開始後に、入浴者が浴槽に入ると前記水位検出部により水位の急激な上昇の変化を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれ、入浴者にとっては番組が自動的に分断されることなく連続して視聴できる。
【００５４】
また、前記判別部から第４の判別出力が得られることにより下記の効果をもたらす。前記第2の判別出力が得られた後に第４の判別出力が得られることにより、浴槽内の湯を排水していることと判断して前記記録再生部の記録動作を停止する。従って、テレビジョンシン放送を視聴しないことが自動的に判断されテレビジョン信号受信装置を待機状態にして不用な動作、不用な電力の消費等を回避することができる。
【００５５】
本願の請求項１３に係る発明のテレビジョン信号受信方法においては、前記判別部から前記水位検出部の検出出力に応じて前記第１の判別出力と前記第２の判別出力を得るので下記に示す効果をもたらす。テレビジョン信号を受信して前記記録再生部における記録開始後に、入浴者が浴槽に入ると前記水位検出部により水位の急激な上昇の変化を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態ではテレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれ、入浴者にとっては番組が自動的に分断されることなく連続して視聴できる。
【００５６】
また、前記判別部から第５の判別出力が得られることにより下記の効果をもたらす。前記第2の判別出力が得られてから所定の時間を経過した後に第1の判別出力が得られないと、第５の判別出力により浴槽内の湯を排水していることと判断して前記記録再生部の記録動作を停止する。従って、テレビジョンシン放送を視聴しないことが自動的に判断されテレビジョン信号受信装置を待機状態にして不用な動作、不用な電力の消費等を回避することができる。
【００５７】
本願の請求項１４に係る発明のテレビジョン信号受信方法においては、前記判別部から前記水位検出部の検出出力に応じて４種の判別出力を取得するので、下記に示す効果をもたらす。
【００５８】
第１に、前記第１の判別出力と前記第２の判別出力が得られることにより下記の効果をもたらす。テレビジョン信号を受信して前記記録再生部における記録開始後に、入浴者が浴槽に入ると前記水位検出部により水位の急激な上昇を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態では、テレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれるので、入浴者にとっては番組が自動的に分断されることなく連続して視聴できる。
【００５９】
第２に、前記第３の判別出力が得られることにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００６０】
第３に、前記判別部から第４の判別出力が得られることにより下記の効果をもたらす。前記第２の判別出力が得られた後に第４の判別出力が得られることにより、浴槽内の湯を排水していることと判断して前記記録再生部の記録動作を停止する。従って、テレビジョン放送を視聴しないことが自動的に判断されテレビジョン信号受信装置を待機状態にして不用な動作、不用な電力の消費等を回避することができる。
【００６１】
本願の請求項１５に係る発明のテレビジョン信号受信方法においては、前記判別部が前記水位検出部の検出出力に応じて４種の判別出力を送出するので、下記に示す効果をもたらす。
【００６２】
第１に、前記第１の判別出力と前記第２の判別出力が得られることにより下記の効果をもたらす。テレビジョン信号を受信して前記記録再生部における記録開始後に、入浴者が浴槽に入ると前記水位検出部により水位の急激な上昇を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態では、テレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれるので、入浴者にとっては番組が自動的に分断されることなく連続して視聴できる。
【００６３】
第２に、前記第３の判別出力が得られることにより下記の効果をもたらす。前記第1の判別出力と第2の判別出力とにおいてその変化量が相異することを判別する第３の判別出力により、入浴者の相異を判別して受信チャンネルを自動的に変更することができる。そのため、複数の入浴者が予め設定したチャンネルのテレビジョン放送を自動的に選択されて視聴できる。
【００６４】
第３に、前記判別部から第５の判別出力が得られることにより下記の効果をもたらす。前記第2の判別出力を得てから所定の時間を経過した後に第1の判別出力が得られないと第５の判別出力を送出し、入浴者が入浴しないと判断して前記記録再生部の記録動作を停止する。従って、テレビジョン放送を視聴しないことが自動的に判断されテレビジョン信号受信装置を待機状態にして不用な動作、不用な電力の消費等を回避することができる。
【００６５】
本願の請求項１６に係る発明のテレビジョン信号受信方法においては、前記判別部が前記水位検出部の検出出力に応じて４種の判別出力を送出するので、下記に示す効果をもたらす。
【００６６】
第１に、前記第１の判別出力と前記第２の判別出力が得られることにより下記の効果をもたらす。テレビジョン信号を受信して前記記録再生部における記録開始後に、入浴者が浴槽に入ると前記水位検出部により水位の急激な上昇を検出して前記判別部でもって第１の判別出力を得る。そして、第１の判別出力によって前記記録再生部を制御して既に記録されているテレビジョン信号を再生し前記モニター部に送出する。そのため、入浴者は浴槽に入ると同時に前記モニター部においてテレビジョン信号による映像を視聴できる。このとき、記録再生部は引き続いて入来するテレビジョン信号の記録を継続している。その後、入浴者が浴槽から出ると前記水位検出部が水位の急激な下降を検出し前記判別部から第２の判別出力を得る。そして、第１の判別出力によって前記記録再生部を制御して再生動作を停止しモニター部による視聴を停止させる。従って、入浴者が浴槽外にいてモニター部を見られない状態では、テレビジョン信号の記録だけが行なわれモニター部での表示を行なわない。そして、再び入浴者が浴槽に入ると、前記判別部から第２の判別出力が送出され記録再生部の再生動作が開始される。この再生の開始は以前の再生が終了した位置に引き続いて行なわれるので、入浴者にとっては番組が自動的に分断されることなく連続して視聴できる。
【００６７】
第２に、前記判別部から第４の判別出力又は第５の判別出力が得られることにより下記の効果をもたらす。前記第２の判別出力が得られた後に第４の判別出力が得られることにより、浴槽内の湯を排水していることと判断して前記記録再生部の記録動作を停止する。また、前記第2の判別出力を得てから所定の時間を経過した後に第1の判別出力が得られないと第５の判別出力を送出し、入浴者が入浴しないと判断して前記記録再生部の記録動作を停止する。従って、テレビジョン放送を視聴しないことが自動的に判断されテレビジョン信号受信装置を待機状態にして不用な動作、不用な電力の消費等を回避することができる。
【発明を実施するための最良の形態】
【００６８】
本発明を実施するための最良の形態としては、以下に説明する実施例である。
【実施例】
【００６９】
本発明の実施例を図１〜図６によって説明する。図１は本発明の実施例におけるテレビジョン受信装置を適用した浴室での入浴状態を示す断面図、図２は本発明の実施例におけるテレビジョン受信装置を適用した浴室での入浴していない状態を示す断面図、図３は本発明の実施例におけるテレビジョン受信装置を適用した浴室での入浴者が子供である状態を示す断面図、図４は本発明の実施例におけるテレビジョン受信装置の要部を示すブロック図、図５は本発明の実施例における判別部の判別出力の内容を示す説明図、図６は本発明の実施例における動作状態を示す状態図である。
【００７０】
図において、１は浴槽、２は浴槽１内の湯、３は入浴者である。４はテレビジョン信号受信装置であって、モニター部４１と制御手段である制御部４２と水位検出手段である水位検出部４３と判別手段である判別部４４とローパスフィルタ４５とから構成されている。モニター部４１は入浴者２が受信されたテレビジョン信号の映像を視聴するために浴槽１の縁に配置されている。
【００７１】
制御部４２は、テレビジョン信号を受信する受信回路４２１と、受信回路４２１で受信されたテレビジョン信号を記録再生する記録再生部４２２と、記録再生部４２２の再生出力をモニター部４１に映像信号として出力する出力回路４２３と、受信するチャンネルを選択する、記録再生部４２２の再生動作を制御する等のための制御回路４２４とから構成されている。
【００７２】
水位検出部４３は浴槽１の内側の底面に配置されている。そして、水位検出部４３は湯２の面の位置により定まる圧力でもって水位を検出しデータ信号を送出するようになっている。水位検出部４３の周期の短い検出出力変化はローパスフィルタ４２７によってノイズとして除去される構成になっている。また、判別部４４は、水位検出部４３から送出されたデータ信号を演算処理することにより図５で示す５種の判別出力を送出するようになっている。
【００７３】
第１の判別出力は、水位検出部４３の検出出力が予め設定した所定の値以上でもって急速に上昇したことを判別したものである。この設定条件は、予め設定した設定値Aに対して大きな単位時間当たりの水位変化量αで上昇方向に変化した場合である。これは、入浴者３が浴槽１に入る状態に相当させたものである。
【００７４】
第２の判別出力は、水位検出部４３の検出出力が予め設定した所定の値以上でもって急速に下降したことを判別したものである。この設定条件は、予め設定した設定値Bに対して大きな単位時間当たりの水位変化量αで下降方向に変化した場合である。これは、入浴者３が浴槽１から出る状態に相当させたものである。ここで、設定値Ａと設定値Ｂとは実質的に同じ値となる。
【００７５】
第３の判別出力は、第１の判別出力において、その変化量の差異を判別したものである。この設定条件は、予め設定した設定値Aより少ない設定値ａに対して大きな単位時間当たりの水位変化量α´で上昇方向に変化した場合である。これは、体格の小さい入浴者３が浴槽１に入る状態に相当させたものである。また、第３の判別出力は、第２の判別出力において、その変化量の差異を判別したものである。この設定条件は、予め設定した設定値Bより少ない設定値ｂに対して大きな単位時間当たりの水位変化量α´で下降方向に変化した場合である。これは、体格の小さい入浴者３が浴槽１から出る状態に相当させたものである。即ち、第３の判別出力は子供が浴槽１に出入りする状態を判別するものである。
【００７６】
第４の判別出力は、水位検出部４３の検出出力が第２の判別出力後にゆっくりと下降して予め設定した所定値以上に至ったことを判別したものである。この設定条件は、水位変化量αに対し小さい水位変化量β以下で水位が連続的に所定値C以上に下降したことを判別するものである。これは浴槽１内に誰もいない状態で湯２が排水された状態に相当するものである。
【００７７】
第５の判別出力は、内部に設けたタイマーによって、第２の判別出力後に予め設定した比較的長い所定時間Tを経過したことを判別したものである。これは浴槽１内に誰もいない状態が長く継続された状態に相当するものである。
【００７８】
制御回路４２４は、初期状態ではテレビジョン信号受信装置１に主電源をオンとした状態にある。そして、判別回路４２４は、判別部４４で得られた第１の判別出力から第5の判別出力に応じて下記のように制御するようになっている。
【００７９】
制御回路４２４は、第１の判別出力が供給されると受信回路４２１でテレビジョン信号を受信して記録再生部４２２に記録し、直ちに再生して出力回路４２３に供給するように制御するものである。出力回路４２３に供給されたテレビジョン信号はモニター部４１で視聴可能に再生されるようになっている。
【００８０】
制御回路４２４は、第２の判別出力が供給されると入来するテレビジョン信号を記録再生部４２２で記録動作を継続するが、再生動作を停止するように制御するものである。この再生動作の停止によってモニター部４１における視聴が停止されるようになっている。そして、制御回路４２４は、第２の判別出力が出力された後に第１の判別出力が供給されると、記録再生部４２２の再生動作を開始するように制御する。この再生動作の開始は以前の再生が終了した位置に引続いて行なわれるようになっている。
【００８１】
制御回路４２４は、第３の判別出力が供給されると入浴者３が子供であることとして受信するテレビジョン信号のチャンネルを子供向けに切換えるように制御するものである。また、第３の判別出力が得られないときには大人の向けのチャンネルに復帰させるものである。
【００８２】
制御回路４２４は、第４の判別出力が供給されると記録再生部４２２の動作を停止する制御を行なうようになっている。また、同様に第５の判別出力が供給されると記録再生部４２２の動作を停止する制御を行なうようになっている。
【００８３】
次に、上述した構成のテレレビジョン受信装置１における動作を図を参照して説明する。
使用者は、段階Ｓ１においてテレビジョン受信装置１の主電源をオンとし、段階Ｓ２において視聴したいテレビジョン信号の所定のチャンネルを設定し受信の待機状態とする。この待機状態において、浴槽１内に入浴者３が入ると急激に水位が上昇する。この上昇状態は水位検出部４３が検出し判別部４４から第１の判別出力が得られる。そこで、段階Ｓ３で示すように予め設定したチャンネルのテレビジョン信号が記録再生部４２２に記録され直ちに再生される。即ち、この状態で入浴者３はモニター部４１で所定のテレビジョン放送を視聴できる。その後、入浴者３が浴槽１から出ると急激に水位が下降する。この下降状態は水位検出部４３が検出し判別部４４から第２の判別出力が得られる。そこで、段階Ｓ４で示すように記録再生部４２２の再生状態が停止される。この状態では入来するテレビジョン信号の記録は継続されている。
【００８４】
第２の判別出力が出力された後に第１の判別出力が供給されると、記録再生部４２２の再生動作を開始するように制御する。この再生動作の開始は以前の再生が終了した位置に引き続いて行なわれるようになっている。従って、入浴者３は再び浴槽１に入ると以前の中断した後からテレビジョン放送を視聴できる。以下同様に、入浴者３は浴槽１から出ると再び第２の判別出力が得られて再生が停止される。
【００８５】
一方、段階Ｓ４においては、第２の判別出力が出力された後に、浴槽１内の湯２を排水すると水位検出部４３がゆっくりと下降する水位の変化を検出して所定量を超えると第４の判別出力が得られる。この第４の判別出力によって入浴者３が入浴を終了したことを判断し、記録再生部４２２の記録再生動作を停止し、段階２における待機状態とする。また、第２の判別出力が出力された時点でタイマーによる時間計測をスタートさせる。そして、所定の時間を経過すると段階Ｓ５においてタイムアップを示す第５の判別出力が得られる。
この第５の判別出力によって、これ以降に入浴することがないと判断し、記録再生部４２２の記録再生動作を停止し、段階２における待機状態とする。
【００８６】
段階Ｓ２において、第１の判別出力が第３に判別出力を条件に得られると入浴者３が子供であると判断されて、制御回路４２４がテレビジョン放送を予め設定した子供向けのチャンネルに変更して受信するように制御する。そのため、記録再生部４２２は段階Ｓ６で示すように変更されたチャンネルのテレビジョン信号の記録、再生を開始する。このようにして入浴者３はモニター部４１で子供向けのテレビジョン放送を視聴できる。その後、入浴者３が浴槽１から出ると急激に水位が下降する。この下降状態は水位検出部４３が検出し判別部４４から第２の判別出力が得られる。そこで、段階Ｓ７で示すように記録再生部４２２の再生状態が停止される。この状態では入来するテレビジョン信号の記録は継続されている。
【００８７】
第２の判別出力が出力された後に第１の判別出力が供給されると、記録再生部４２２の再生動作を開始するように制御する。この再生動作の開始は以前の再生が終了した位置に引き続いて行なわれるようになっている。従って、入浴者３は再び浴槽１に入ると以前の中断した後からテレビジョン放送を視聴できる。以下同様に、入浴者３は浴槽１から出ると再び第２の判別出力が得られて再生が停止される。
【００８８】
一方、段階Ｓ７においては、第２の判別出力が出力された後に、浴槽１内の湯２を排水すると水位検出部４３がゆっくりと下降する水位の変化を検出して所定量を超えると第４の判別出力が得られる。この第４の判別出力によって入浴者３が入浴を終了したことを判断し、記録再生部４２２の記録再生動作を停止し、段階２における待機状態とする。また、第２の判別出力が出力された時点でタイマーによる時間計測をスタートさせる。そして、所定の時間を経過すると段階Ｓ８においてタイムアップを示す第５の判別出力が得られる。
この第５の判別出力によって、これ以降に入浴することがないと判断し、記録再生部４２２の記録再生動作を停止し、段階２における待機状態とする。
【００８９】
上述した本発明の実施例によれば、判別部４４が水位検出部４３により検出された水位の変化に応じて５種の判別出力を送出する。第１の判別出力は急激な所定量以上の水位の上昇を判別したものである。第２の判別出力は急激な所定量以上の水位の下降を判別したものである。第３の判別出力は第１の判別出力と第２の判別出力の急激な上昇と下降における相当量の相異を判別したものである。第４の判別出力は後のゆっくりした水位の所定量以上の降下を判別したものである。第５の判別出力は第２の判別出力が得られた時点から所定の時間を経過しても何ら変化を生じないことを示す。そして、このような多種の判別出力により以下のような機能を達成できる。
【００９０】
第１に、入浴者３が浴槽１に入っているときだけ自動的にテレビジョン放送を視聴できるようになる。これは、第１の判別出力を得ることにより、入浴者３が浴槽１に入ったことを判別して記録再生部４２２に記録されているテレビジョン信号を再生しモニター部４１による視聴を可能にする。第２の判別出力を得ることにより、入浴者３が浴槽１から出たことを判別して記録再生部４２２の再生を停止する。そして、再び、入浴者３が浴槽１に入ると第１の判別出力が得られ記録再生部４２２を以前の再生が終了した位置に引き続いて再生を開始させる。即ち、入浴者３は浴槽１外にいてモニター部４１を見られない状態ではテレビジョン信号の記録だけが行なわれモニター部４１での表示を行なわない。そして、再び入浴者３が浴槽１に入ると、第２の判別出力が得られて記録再生部４２２の再生動作を開始する。この再生の開始時点は以前の停止位置からの継続であるため、入浴者３にとっては番組が自動的に分断されることなく連続して視聴できる。
【００９１】
第２に、体格の異なる例えば、大人と子供というように複数の入浴者３に対応してテレビジョン放送を自動的に選択して設定できる。これは、第３の判別出力を得ることにより、第1の判別出力と第2の判別出力とにおいてその変化量が相異することで入浴者３の相異を判別して受信チャンネルを自動的に変更する。そのため、複数の入浴者３が予め設定したチャンネルのテレビジョン放送を自動的に選択されて視聴できる。
【００９２】
第３に、入浴することがないことを自動的に判断してテレビジョン信号受信装置１を待機状態にして不用な動作、不用な電力の消費等を回避する。これは第２の判別出力を得た後に第４の判別出力が得られることにより、浴槽１内の湯２を排水していることと判断して記録再生部４２２の記録動作を停止して待機状態とする。また、第2の判別出力を得てから所定の時間を経過するまでに第1の判別出力が得られないと第５の判別出力が得られることにより、入浴者３がこれ以降に入浴しないと判断して記録再生部４２２の記録動作を停止して待機状態とする。
【００９３】
尚、上述した本発明の実施例においては、第３の判別出力で入浴者３が大人か子供かの判別を行なっているが、本発明はこれに限定されることなく体格の異なることを条件として複数人の判別を行なうことができる。
【００９４】
尚、また、上述した本発明の実施例においては、水位検出部４３を浴槽１の底面に設けたが、本発明はこれに限定されることなく浴槽１の外部にある給湯器内部に設けるよにしてもよい等種々変更できる。
【００９５】
尚、また、上述した本発明の実施例においては、モニター部４１を浴槽１の縁に設置したが、本発明はこれに限定されることなくその上方の浴室の壁面に設ける等、設置箇所を種々変更してもよい。
【図面の簡単な説明】
【００９６】
【図１】図１は本発明の実施例におけるテレビジョン受信装置を適用した浴室での入浴状態を示す断面図である。
【図２】図２は本発明の実施例におけるテレビジョン受信装置を適用した浴室での入浴していない状態を示す断面図である。
【図３】図３は本発明の実施例におけるテレビジョン受信装置を適用した浴室での入浴者が子供である状態を示す断面図である。
【図４】図４は本発明の実施例におけるテレビジョン受信装置の要部を示すブロック図である。
【図５】図５は本発明の実施例における判別部の判別出力の内容を示す説明図である。
【図６】図６は本発明の実施例における動作状態を示す状態図である。
【符号の説明】
【００９７】
１        浴槽
２        湯
３        入浴者
４        テレビジョン信号受信装置        
４１      モニター部
４２      制御部
４３      水位検出部
４４      判別部
４５      ローパスフィルタ
４２１    受信回路
４２２    記録再生部
４２３    出力回路
４２４    制御回路
【図１】
2006270684.tif 000003
【図２】
2006270684.tif 000004
【図３】
2006270684.tif 000005
【図４】
2006270684.tif 000006
【図５】
2006270684.tif 000007
【図６】
2006270684.tif 000008